(57)【特許請求の範囲】
【請求項１】
打面を有する第１のフィルムと、
前記第１のフィルムにおける前記打面とは反対側の面に対向して配置される第２のフィルムと、
前記第１のフィルムと前記第２のフィルムとの間に配置され、振動に応じた信号を出力するセンサと、を有し、
前記センサが前記第１のフィルムおよび前記第２のフィルムに接着されていない非接着領域を有し、
前記センサのセンサテールは、前記第１のフィルムおよび前記第２のフィルムがシェルの開口端に張られた際の前記シェルの外側の前記第１のフィルムと前記第２のフィルムの少なくとも一方に固定されることを特徴とするドラムヘッド。
【請求項２】
前記センサは、
前記第１のフィルムおよび前記第２のフィルムがシェルの開口端に張られた際に前記シェルの内周面近傍となる位置に配置される
ことを特徴とする請求項１に記載のドラムヘッド。
【請求項３】
前記センサは、
ひずみセンサであり、ひずみ検出方向が前記第１のフィルムおよび前記第２のフィルムの径方向となるように配置される
ことを特徴とする請求項１または２に記載のドラムヘッド。
【請求項４】
前記第２のフィルムはリング状のフィルムである
ことを特徴とする請求項１から３のいずれか１の請求項に記載のドラムヘッド。
【請求項５】
前記センサテールは、前記シェルの外側の前記第２のフィルムに固定され、前記第１のフィルムを貫通して前記第１のフィルムの外側に延びていることを特徴とする請求項１に記載のドラムヘッド。
【発明の詳細な説明】
【技術分野】
【０００１】
この発明は、ドラムヘッドに関する。
【背景技術】
【０００２】
特許文献１には、第１の層と第２の層とを有するマルチレイヤのドラムヘッドを含むドラムが開示されている。特許文献１のドラムヘッドでは、第１の層と第２の層の間に感圧抵抗が配置されている。感圧抵抗は、ドラムヘッドの全域（より具体的には、打撃が与えられる可能性のあるプレイングゾーン全域）に配置されている。感圧抵抗には、バイアス電圧が印加される。第１の層に打撃が与えられると、打撃が与えられた瞬間において、打撃が与えられた位置における第１の層の下の感圧抵抗の抵抗値が変わる。特許文献１のドラムヘッドは、感圧抵抗の抵抗値の変化に応じたパルス信号を出力する。このように、特許文献１のドラムヘッドの感圧抵抗は、打撃のタイミングを検出する。
【先行技術文献】
【特許文献】
【０００３】
【特許文献１】米国特許第８３５４５８１号明細書
【特許文献２】特許第３４３４５０９号公報
【発明の概要】
【発明が解決しようとする課題】
【０００４】
特許文献１のドラムヘッドから出力されるパルス信号は、例えば、予め録音されたドラム波形を表す信号やＭＩＤＩ（Ｍｕｓｉｃａｌ  Ｉｎｓｔｒｕｍｅｎｔ  Ｄｉｇｉｔａｌ  Ｉｎｔｅｒｆａｃｅ）信号等を出力するための制御信号として用いられる。つまり、特許文献１のドラムヘッドから出力されるパルス信号は、ドラムヘッドの振動波形を表す信号ではない。このため、特許文献１のドラムヘッドから出力されるパルス信号を音に変換してもドラム本来の音は得られない。
【０００５】
この発明は以上のような事情に鑑みてなされたものであり、ドラム本来の音を表す信号を出力可能な技術を提供することを目的とする。
【課題を解決するための手段】
【０００６】
この発明は、打面を有する第１のフィルムと、前記第１のフィルムにおける前記打面とは反対側の面に対向して配置される第２のフィルムと、前記第１のフィルムと前記第２のフィルムとの間に配置され、振動に応じた信号を出力するセンサと、を有し、前記センサが前記第１のフィルムおよび前記第２のフィルムに接着されていない非接着領域を有することを特徴とするドラムヘッドを提供する。
【０００７】
この発明によるドラムヘッドでは、ドラムヘッドの振動に応じた信号を出力するセンサが第１のフィルムと第２のフィルムとの間に接着されずに配置されている。このため、本ドラムヘッドのセンサは、本ドラムヘッドが張られたドラムにおけるドラムヘッドの振動を妨げることなく、その振動を検出する。ドラムヘッドの振動が妨げられないため、センサによって検出されるドラムヘッドの振動は、ドラム本来の音を発生させる振動である。従って、本ドラムヘッドは、ドラム本来の音を表す信号を出力することができる。このため、本ドラムヘッドから出力される信号を音に変換すれば、ドラム本来の音が得られる。
【０００８】
特許文献２には、打面の裏面側に薄い金属板を押し付けたドラムヘッドと、その金属板から所定の間隔を空けて配置されたピックアップマイクと、を含むドラムが開示されている。特許文献２のドラムでは、打面に打撃が与えられると金属板が振動し、ピックアップマイクが金属板の振動を検出して電気的に出力する。このように、特許文献２のドラムでは、ドラムヘッドの振動を検出するピックアップマイクがドラムヘッドとは別個に設けられている。これに対し、本ドラムヘッドは、第１のフィルムと第２のフィルムとの間に振動を検出するセンサを有する。このため、本ドラムヘッドは、特許文献２のドラムヘッドとは異なる。また、特許文献２のドラムでは、ドラムヘッドに金属板が押し付けられているため、ドラムヘッドに金属板が押し付けられていない通常のドラムヘッドに比べて、ドラムヘッドの振動の状態が変わる虞がある。このため、特許文献２のドラムでは、ピックアップマイクから出力される信号を音に変換したときの音の音色が通常のドラム音の音色に比べて変わる虞がある。これに対し、本ドラムヘッドでは、第１のフィルムと第２のフィルムとの間にセンサを接着せずに配置することで、ドラムヘッドの振動の状態を変えることなくその振動を検出することができる。このため、本ドラムヘッドでは、通常のドラム音の音色と同様な音色の音を表す出力信号が得られる。
【図面の簡単な説明】
【０００９】
【図１】この発明の第１実施形態であるドラムヘッド１の構成を示す平面図である。
【図２】同ドラムヘッド１の構成を示す側面図である。
【図３】同ドラムヘッド１の断面の一部を示す断面図である。
【図４】同ドラムヘッド１がシェル５０の開口端５１に張られたドラムの断面の一部を示す断面図である。
【図５】この発明の第２実施形態であるドラムヘッド１Ａの断面の一部を示す断面図である。
【図６】この発明の変形例（１）のドラムヘッド１Ｂおよび１Ｃの構成の一部を示す平面図である。
【発明を実施するための形態】
【００１０】
以下、図面を参照し、この発明の実施形態について説明する。
＜実施形態＞
図１は、この発明の第１実施形態であるドラムヘッド１の構成を示す平面図であり、図２は、ドラムヘッド１の構成を示す側面図である。ドラムヘッド１は、例えば、タムやスネアやバスドラムなどのドラムにおけるシェルの開口端に張られる部材である。
【００１１】
ドラムヘッド１は、ヘッド部１０、フレッシュフープ２０、センサ３０およびセンサテール４０を有する。フレッシュフープ２０は、内径がシェルの外径よりも大きなリング状の部材である。フレッシュフープ２０のリングの内側には、ヘッド部１０が配置されている。ヘッド部１０は、円形のフィルム状の部材である。ヘッド部１０の外縁は、フレッシュフープ２０に接続されており、ヘッド部１０は、フレッシュフープ２０によって保持される。ヘッド部１０の外縁付近には、センサ３０が設けられている。センサ３０には、センサ３０の出力信号を外部に出力するための引き出し線であるセンサテール４０が接続されている。
【００１２】
図３は、ドラムヘッド１におけるセンサ３０が設けられている部分の断面を示す断面図である。ヘッド部１０は、第１のフィルム１２と第２のフィルム１４とから構成されている。第１のフィルム１２および第２のフィルム１４の各々は、例えば１７５μｍ程度の厚さを有する円形のフィルムである。第１のフィルム１２および第２のフィルム１４の各々を形成する素材は、例えばポリエチレンテレフタラート（ＰＥＴ）などである。第１のフィルム１２は、ユーザ（演奏者）によって打撃が与えられる打面１１を有する。第２のフィルム１４は、第１のフィルム１２の打面１１とは反対側の面に対向して配置される。
【００１３】
第１のフィルム１２および第２のフィルム１４は、第１のフィルム１２および第２のフィルム１４の外縁付近が曲げられた椀状に加工されている。第１のフィルム１２および第２のフィルム１４の外縁付近は、打面１１が椀の外面となり、第２のフィルム１４における第１のフィルム１２に対向する面とは反対側の面が椀の内面となるように曲げられている。例えば、平らな状態の第１のフィルム１２と平らな状態の第２のフィルム１４を重ねた状態で熱プレスすることで、このような椀状の第１のフィルム１２および第２のフィルム１４が得られる。
【００１４】
センサ３０は、５０〜１００μｍ程度の厚さを有するフィルム状をなしている。センサ３０は、第１のフィルム１２と第２のフィルム１４との間に配置されている。例えば、第１のフィルム１２および第２のフィルム１４の熱プレス後に第１のフィルム１２と第２のフィルム１４とが分離され、第１のフィルム１２と第２のフィルム１４との間にセンサ３０が挿入された後に、第１のフィルム１２と第２のフィルム１４とが再び重ね合わされる。
【００１５】
第１のフィルム１２および第２のフィルム１４の各々の外縁は、フレッシュフープ２０に挿入される。第１のフィルム１２および第２のフィルム１４は、このフレッシュフープ２０内で接着剤等によって接続される。第１のフィルム１２および第２のフィルム１４は、フレッシュフープ２０に接続された部分よりも内側部分においては、互いに接触あるいは近接するが、接着はしていない。
【００１６】
図１および図３において、領域Ａ１は、ヘッド部１０（すなわち第１のフィルム１２および第２のフィルム１４）における椀の底となる平らな領域である。領域Ａ３は、ヘッド部１０における椀の側壁となる領域であり、ヘッド部１０が領域Ａ１部分に対して傾斜している領域である。領域Ａ２は、ヘッド部１０における領域Ａ１と領域Ａ３との間の領域であり、領域Ａ１から領域Ａ３に向かってヘッド部１０が徐々に曲げられる領域である。領域Ａ４は、第１のフィルム１２とフレッシュフープ２０との境界からフレッシュフープ２０の外周面までの領域である。
【００１７】
センサ３０は、ヘッド部１０における椀の底となる平らな領域Ａ１に配置されている。センサ３０は、第１のフィルム１２および第２のフィルム１４に接着されていない。すなわち、領域Ａ１は、センサ３０が第１のフィルム１２および第２のフィルム１４に接着されていない非接着領域である。
【００１８】
センサテール４０は、第１のフィルム１２と第２のフィルム１４との間において、センサ３０から引き出されてヘッド部１０の外縁に向かって延びている。センサテール４０は、領域Ａ３のフレッシュフープ２０寄りにおいて、第１のフィルム１２を貫通して第１のフィルム１２の外側に延びている。センサテール４０は、領域Ａ３において、第２のフィルム１４に粘着テープによって貼り付けられて固定されている。
【００１９】
図４は、ドラムヘッド１がシェル５０の開口端５１に張られたドラムの断面の一部を示す断面図である。ドラムヘッド１は、シェル５０の開口面を塞ぐように、打面１１を外側に向けた姿勢でシェル５０の開口端５１上に配置される。このようにドラムヘッド１が配置されると、シェル５０の開口端５１は、領域Ａ２において第２のフィルム１４と接触する。開口端５１上に配置されたドラムヘッド１のフレッシュフープ２０上には、リング状のフープ６０が配置される。フープ６０は、領域Ａ４においてフレッシュフープ２０と接触する。フープ６０は、フレッシュフープ２０の外周面よりも外側に張り出している。フープ６０における外側に張り出した部分には、貫通穴６２が設けられている。貫通穴６２には、棒状のチューニングピン７０が挿入される。チューニングピン７０の一端側は、貫通穴６２の開口面よりも広くなっており、フープ６０の上面に接触する。チューニングピン７０の他端側の側面にはネジ山が施されており、この他端側は、シェル５０の外周面に固定されたラグ５２のネジ溝に組み合わされる。
【００２０】
チューニングピン７０は、右ねじの進む方向に回されると、フープ６０およびフレッシュフープ２０を下方へ押し下げる。フレッシュフープ２０が押し下げられると、第１のフィルム１２および第２のフィルム１４には、中央から外縁に向かう方向に力が与えられる。これにより、第１のフィルム１２および第２のフィルム１４は、チューニングピン７０の回転量に応じた張力でシェル５０の開口端５１に張られる。
【００２１】
第１のフィルム１２および第２のフィルム１４がシェル５０の開口端５１に張られると、センサ３０は、第１のフィルム１２と第２のフィルム１４とによって両側から圧力が加えられて拘束され、第１のフィルム１２および第２のフィルム１４に密着する。
【００２２】
シェル５０の開口端５１に張られた第１のフィルム１２の打面１１に演奏操作（具体的には打撃）が与えられると、第１のフィルム１２および第２のフィルム１４が一体となって振動する。センサ３０は、打面１１に与えられる演奏操作（具体的には打撃）に応じた第１のフィルム１２および第２のフィルム１４の振動（すなわちドラムヘッド１の振動）を検出し、その振動に応じた信号を出力する。より詳細には、センサ３０は、センサ３０に与えられるひずみを検出することで第１のフィルム１２および第２のフィルム１４の振動を検出するひずみセンサである。具体的には、センサ３０は、圧電性を有するＰＶＤＦ（ＰｏｌｙＶｉｎｙｌｉｄｅｎｅ  ＤｉＦｌｕｏｒｉｄｅ：ポリフッ化ビニリデン）から作られた圧電素子を含むフィルムタイプの圧電センサである。
【００２３】
センサ３０は、ひずみ検出方向が第１のフィルム１２および第２のフィルム１４の径方向（換言すると、シェル５０の径方向）となるように配置されている。センサ３０をこのように配置することで、第１のフィルム１２および第２のフィルム１４の振動、特に基音を表す振動および倍音を表す振動を感度良く検出することができる。
【００２４】
シェル５０の開口端５１に張られたときのセンサ３０は、第１のフィルム１２および第２のフィルム１４による圧力によって拘束されるため、振動する第１のフィルム１２および第２のフィルム１４と共にひずみ検出方向に伸縮する。センサ３０は、第１のフィルム１２および第２のフィルム１４に接着されていないため、第１のフィルム１２および第２のフィルム１４に対して僅かにすべりつつ伸縮することができる。このため、センサ３０は、第１のフィルム１２および第２のフィルム１４の振動を妨げることなく、第１のフィルム１２および第２のフィルム１４の振動を検出することができる。
【００２５】
センサ３０における第１のフィルム１２の径方向の寸法は、シェル５０の開口端５１の径よりも小さくなっており、センサ３０のフィルム面の面積は、シェル５０の開口面の面積に比べて小さくなっている。具体的には、開口端５１の直径が１２インチ（約３００ｍｍ）のシェル５０に張られるドラムヘッド１では、センサ３０のサイズは、２０ｍｍ×２０ｍｍ程度である。このように、センサ３０は、ドラムヘッド１の可聴周波数の振動を検出することができる程度のサイズを有する。
【００２６】
以上のように、本実施形態のドラムヘッド１は、振動に応じた信号を出力するセンサ３０が第１のフィルム１２と第２のフィルム１４との間に配置されており、第１のフィルム１２および第２のフィルム１４がシェル５０の開口端５１に張られた際にシェル５０の内側となる領域に、センサ３０が第１のフィルム１２および第２のフィルム１４に接着されていない非接着領域（具体的には領域Ａ１）を有する。すなわち、ドラムヘッド１では、ドラムヘッド１の振動に応じた信号を出力するセンサが第１のフィルム１２と第２のフィルム１４との間に接着されずに配置されている。このため、ドラムヘッド１のセンサ３０は、ドラムヘッド１が張られたドラムにおけるドラムヘッド１の振動を妨げることなく、その振動を検出する。ドラムヘッド１の振動が妨げられないため、センサ３０によって検出されるドラムヘッド１の振動は、ドラム本来の音を発生させる振動である。従って、ドラムヘッド１は、ドラム本来の音を表す信号を出力することができる。このため、ドラムヘッド１から出力される信号を音に変換すれば、ドラム本来の音が得られる。ユーザは、ドラムヘッド１を用いたドラムをいわゆるエレクトリックアコースティック楽器のように使用することができる。
【００２７】
また、ドラムヘッド１では、第１のフィルム１２および第２のフィルム１４の振動を過度に減衰させることはないため、ドラムヘッド１のセンサ３０は、第１のフィルムおよび第２のフィルムの振動の状態を、センサ３０が設けられていない通常のドラムヘッドにおける振動の状態から変えることなくその振動を検出することができる。このため、本実施形態のドラムヘッド１によれば、通常のドラム音の音色と同様な音色の音を表す出力信号が得られる。
【００２８】
また、ドラムヘッド１のセンサ３０は、第１のフィルム１２および第２のフィルム１４がシェル５０の開口端５１に張られた際の第１のフィルム１２および第２のフィルム１４よって加えられる圧力によって拘束される。このため、ドラムヘッド１では、センサ３０が第１のフィルムおよび第２のフィルムに接着されていなくても第１のフィルム１２および第２のフィルム１４の振動を検出することができる。
【００２９】
また、特許文献１のドラムヘッドでは、打撃のタイミングを感圧抵抗で検出するため、打撃が与えられる可能性のあるプレイングゾーン全域に感圧抵抗を配置する必要がある。これに対し、本実施形態のドラムヘッド１では、プレイングゾーン全域にセンサ３０を配置する必要はない。打撃に応じた第１のフィルム１２および第２のフィルム１４の振動は、打撃が与えられた位置から周囲に伝搬する。ドラムヘッド１では、この周囲に伝搬した振動をセンサ３０で検出することで、打撃に応じた第１のフィルムおよび第２のフィルムの振動を検出することができるからである。また、ドラムヘッド１では、プレイングゾーン全域にセンサ３０を配置する必要がないため、センサ３０のサイズをシェル５０の開口端５１の径に対して十分に小さくすることができる。
【００３０】
また、センサ３０のサイズがシェル５０の開口端５１の径と同程度に大きい場合、センサ３０は、ヘッド部１０の特定の振動モードにおいて正の振幅と負の振幅の両方を検出する虞がある。この場合、その正の振幅と負の振幅とが相殺された信号がセンサ３０から出力されることになるため、出力された信号を音に変換したときの音色が通常のドラム音の音色から変わる虞がある。本実施形態のドラムヘッド１では、センサ３０のサイズがシェル５０の開口端５１の径に対して十分に小さいため、特定の振動モードにおいて正の振幅と負の振幅の両方を検出する虞は少ない。この点からも、本実施形態のドラムヘッド１によれば、通常のドラム音の音色と同様な音色の音を表す出力信号が得られる、と言える。
【００３１】
また、ユーザは、通常、打面１１におけるヘッド部１０の中心付近を打撃して演奏する。このため、ヘッド部１０の中心付近は、打撃が繰り返されることで塑性変形する可能性が高い。本実施形態のドラムヘッド１では、塑性変形する可能性の高いヘッド部１０の中心付近にはセンサ３０が配置されておらず、ユーザによって直接に打撃が与えられることの少ないヘッド部１０の外縁付近（より正確には、ヘッド部１０におけるシェル５０の内周面近傍となる位置）にセンサ３０が配置されている。このため、ドラムヘッド１では、打撃によってセンサ３０が破損したり、センサ３０の真上の第１のフィルム１２が塑性変形してセンサ３０がヘッド部１０の振動を正しく検出できなくなったりする可能性は低い。
【００３２】
また、ヘッド部１０の中心付近にセンサ３０を配置した場合、自然なアタック音を表す出力信号が得られない虞がある。また、ヘッド部１０の中心付近にセンサ３０を配置した場合、サステイン部分で倍音が少なく基音が強調された音（いわゆるこもった音）を表す信号が出力される。これに対し、ドラムヘッド１では、センサ３０がヘッド部１０の外縁付近に配置されており、自然なアタック音を表す出力信号が得られる。また、ドラムヘッド１では、サステイン部分の倍音と基音のバランスが良い音を表す信号が出力される。
【００３３】
また、ドラムヘッド１では、センサテール４０が第２のフィルム１４に固定されているため、ドラムヘッド１がシェル５０の開口端５１に張られていなかったとしても、センサ３０の位置が大幅にずれることはない。また、センサテール４０が固定される位置は、シェル５０の外側に位置する領域Ａ３内であるため、センサテール４０の固定がヘッド部１０の振動を妨げることはない。
【００３４】
また、ドラム音を表す信号を得る方法として、ドラムヘッドの振動により発生する音をマイクロフォンで収音する方法が挙げられる。この方法によって得られたマイクロフォンの出力信号には、ドラムヘッドから放射される音の放射特性を表す成分やドラムヘッド周囲の音場特性を表す成分が含まれる。これに対し、本実施形態のドラムヘッド１では、ヘッド部１０の振動を直接に検出するため、センサ３０の出力信号には、上述の放射特性を表す成分や音場特性を表す成分が含まれない。このようなセンサ３０の出力信号は、センサ３０の後段においてエフェクトを施す処理などの各種の信号処理を施しやすい。このため、ドラムヘッド１によれば、上述のマイクロフォンを用いた態様に比べ、出力信号にいろいろな信号処理を施すことができ、表現豊かなドラム音を得ることができる。
【００３５】
＜第２実施形態＞
図５は、この発明の第２実施形態であるドラムヘッド１Ａの構成を示す断面図である。本実施形態のドラムヘッド１Ａは、ヘッド部１０に代えてヘッド部１０Ａを有する点において第１実施形態のドラムヘッド１と異なる。ヘッド部１０Ａは、第２のフィルム１４に代えて第２のフィルム１４Ａを有する点においてヘッド部１０と異なる。
【００３６】
本実施形態の第２のフィルム１４Ａは、いわゆるリングミュートと呼ばれるリング状のフィルムである。第２のフィルム１４Ａの形状がリング状になっているため、ヘッド部１０Ａの中央は、２層構造にはなっていない。しかし、ヘッド部１０Ａの外縁近傍は、ヘッド部１０と同様の構成となっている。より詳細には、ヘッド部１０Ａの外縁近傍における椀の底となる平らな領域Ａ１では、第１のフィルム１２と第２のフィルム１４Ａとからなる２層構造になっており、センサ３０が第１のフィルム１２と第２のフィルム１４Ａとの間に配置されている。
【００３７】
ドラムヘッド１Ａでは、ドラムヘッド１と同様に、第１のフィルム１２の打面１１に打撃が与えられると、第１のフィルム１２と第２のフィルム１４Ａとが一体となって振動する。ドラムヘッド１Ａの第１のフィルム１２および第２のフィルム１４Ａは、ドラムヘッド１に比べて、サステインの短いドラム音を発生するような振動をおこなう。ドラムヘッド１Ａのセンサ３０は、打面１１に与えられる打撃に応じた第１のフィルム１２および第２のフィルム１４Ａの振動を検出し、その振動に応じた信号を出力する。
【００３８】
本実施形態においても第１実施形態と同様の効果が得られる。
【００３９】
＜他の実施形態＞
以上、この発明の第１および第２実施形態について説明したが、この発明には他にも実施形態が考えられる。例えば次の通りである。
【００４０】
（１）第１実施形態のフィルム状のセンサ３０の形状は、正方形であった。しかし、センサ３０の形状は、正方形に限らない。図６（Ａ）は、この変形例の一例のドラムヘッド１Ｂの構成の一部を示す平面図であり、図６（Ｂ）は、この変形例の他の例のドラムヘッド１Ｃの構成の一部を示す平面図である。
【００４１】
図６（Ａ）に示すドラムヘッド１Ｂは、センサ３０に代えてセンサ３０Ｂを有する点において第１実施形態のドラムヘッド１と異なる。センサ３０Ｂは、その形状がヘッド部１０の半径方向に長い長方形である点においてセンサ３０と異なる。センサ３０Ｂは、ヘッド部１０の周方向に対して半径方向に長いため、ヘッド部１０の基音および倍音を表す振動を感度良く検出する。このため、センサ３０Ｂは、ドラムヘッド１に比べ、明るい音を表す信号を出力する。
【００４２】
図６（Ｂ）に示すドラムヘッド１Ｃは、センサ３０に代えてセンサ３０Ｃを有する点において第１実施形態のドラムヘッド１と異なる。センサ３０Ｃは、その形状がヘッド部１０の半径方向よりも周方向に延びた形状である点においてセンサ３０と異なる。センサ３０Ｃの形状がヘッド部１０の半径方向に対して周方向に長いため、基音を表す振動は検出されるが、倍音を表す振動は検出され難い。倍音を表す振動モードにおける正の振幅と負の振幅は、ヘッド部１０の周方向に沿って繰り返し現れる。センサ３０Ｃは、特定の振動モードにおいてこの正の振幅と負の振幅の両方を検出し易くなる。これにより、センサ３０Ｃは、特定の倍音を表す振動モードにおいてこの正の振幅と負の振幅とが相殺された信号を出力することになる。このため、センサ３０Ｃは、ドラムヘッド１に比べ、太くこもった音を表す信号を出力する。
【００４３】
ドラムヘッド１Ｂおよび１Ｃのように、センサの形状を変えることで、ドラム音の音色を変えることができる。
【００４４】
（２）第１実施形態のドラムヘッド１のセンサテール４０は、領域Ａ３において第２のフィルム１４に粘着テープで固定されていた。しかし、センサテール４０の具体的な固定方法は、粘着テープによる固定に限らない。また、センサテール４０は、領域Ａ３において第１のフィルム１２に固定されても良い。また、センサテール４０は、領域Ａ３において第１のフィルム１２と第２のフィルム１４の両方に固定されても良い。また、センサテール４０は、第１のフィルム１２および第２のフィルム１４に固定されていなくても良い。
【符号の説明】
【００４５】
１，１Ａ，１Ｂ，１Ｃ…ドラムヘッド、１０，１０Ａ…ヘッド部、１１…打面、１２…第１のフィルム、１４，１４Ａ…第２のフィルム、２０…フレッシュフープ、３０，３０Ｂ，３０Ｃ…センサ、４０…センサテール、５０…シェル、５１…開口端、５２…ラグ、６０…フープ、６２…貫通穴、７０…チューニングピン。
【図１】
0006597346.tif 000002
【図２】
0006597346.tif 000003
【図３】
0006597346.tif 000004
【図４】
0006597346.tif 000005
【図５】
0006597346.tif 000006
【図６】
0006597346.tif 000007